(57)【特許請求の範囲】
【請求項１】
電線が挿通される電線挿通穴を有する電線貫通部と、前記電線貫通部の外周に設けられ、車体のグロメット取付穴に係合される車体係合部とを備えたグロメットであって、
前記電線挿通穴の内周面は、シボ加工面に形成されていることを特徴とするグロメット。
【請求項２】
請求項１記載のグロメットであって、
前記電線挿通穴の内周面には、電線挿通方向に沿ってリブが突設されていることを特徴とするグロメット。
【請求項３】
請求項１又は請求項２のグロメットであって、
前記電線挿通穴の端部には、周方向に沿って防水用リブが突設されていることを特徴とするグロメット。
【発明の詳細な説明】
【技術分野】
【０００１】
本発明は、ワイヤーハーネスを配策するグロメット取付穴に装着するグロメットに関する。
【背景技術】
【０００２】
例えば、ワイヤーハーネスを車体パネルの穴を通して配策する場合に、車体パネル周辺での電線の保護や穴の防水、防塵等のために、グロメットが使用される（特許文献１、２参照）。かかるグロメットの一従来例が図５に示されている。
【０００３】
図５において、グロメット５０は、ゴム材より形成されている。グロメット５０は、電線挿通穴５４を有する電線貫通部５２と、この電線貫通部５２の外周に間隔を置いて設けられた２つの車体係合部６０とを備えている。各車体係合部６０は、それぞれ車体パネル７０のグロメット取付穴７１に係合されている。
【０００４】
ところで、グロメット５０の電線挿通穴５４には、パイプ（図示せず）を利用して電線（図示せず）が通される。つまり、外径が電線挿通穴５４の内径より若干だけ小さく、且つ、摩擦抵抗の小さいパイプ内に電線を通し、電線を通したパイプを電線挿通穴５４に通す。パイプを電線挿通穴５４に完全に貫通させた後、パイプのみを電線挿通穴５４より抜き取る。これで、電線挿通穴５４に電線を通すことができる。
【先行技術文献】
【特許文献】
【０００５】
【特許文献１】特開２０１１−１３１６１７号公報
【特許文献２】特開２００９−２９６７３８号公報
【発明の概要】
【発明が解決しようとする課題】
【０００６】
しかしながら、前記従来のグロメット５０では、パイプを電線挿通穴５４に挿入する際に、パイプの外周面が電線挿通穴５４の内周面に面接触するので、大きな摩擦抵抗を受けるため、作業性が非常に悪いという問題があった。電線挿通穴５４が長ければ長いほど、パイプには大きな摩擦抵抗が作用するため、作業性が悪くなる。最悪の場合には、グロメットが破損する場合もある。
【０００７】
そこで、本発明は、前記した課題を解決すべくなされたものであり、電線の挿通作業性が良いグロメットを提供することを目的とする。
【課題を解決するための手段】
【０００８】
【０００９】
本発明は、電線が挿通される電線挿通穴を有する電線貫通部と、前記電線貫通部の外周に設けられ、車体のグロメット取付穴に係合される車体係合部とを備えたグロメットであって、前記電線挿通穴の内周面は、シボ加工面に形成されていることを特徴とするグロメットである。
【００１０】
前記電線挿通穴の端部には、周方向に沿って防水用リブが突設されることが好ましい。
【発明の効果】
【００１１】
本発明によれば、電線を通したパイプを電線挿通穴に挿入する際に、従来例に較べてパイプと電線貫通部間の接触面積が小さくなり、摩擦抵抗が小さくて済む。従って、電線の挿通作業が良い。
【図面の簡単な説明】
【００１２】
【図１】本発明の第１参考例を示し、（ａ）グロメットの正面図、（ｂ）はグロメットの側面図、（ｃ）は（ａ）のＡ−Ａ線断面図、（ｄ）は（ｃ）のＢ部拡大図である。
【図２】本発明の第１参考例を示し、電線貫通部の電線挿通穴にパイプを挿入する過程を説明する斜視図である。
【図３】本発明の第２参考例を示し、（ａ）グロメットの正面図、（ｂ）はグロメットの側面図、（ｃ）は（ａ）のＣ−Ｃ線断面図、（ｄ）は（ｃ）のＤ部拡大図である。
【図４】本発明の一実施形態を示し、（ａ）グロメットの正面図、（ｂ）はグロメットの側面図、（ｃ）は（ａ）のＥ−Ｅ線断面図、（ｄ）は（ｃ）のＦ部拡大図である。
【図５】従来例を示し、（ａ）グロメットの正面図、（ｂ）はグロメットの側面図、（ｃ）は（ａ）のＧ−Ｇ線断面図、（ｄ）は（ｃ）のＨ部拡大図である。
【発明を実施するための形態】
【００１３】
以下、本発明の実施形態を図面に基づいて説明する。
【００１４】
（第１参考例）
図１（ａ）〜（ｄ）は本発明の第１参考例を示す。図１（ａ）〜（ｄ）において、グロメット１Ａは、例えばゴム材より形成されている。グロメット１Ａは、円筒状の電線貫通部２と、この電線貫通部２の２箇所に一体に設けられた車体係合部１０とを備えている。
【００１５】
各車体係合部１０は、電線貫通部２の外周側に一体に設けられている。各車体係合部１０の一方側は、内周側から外周側に向かって傾斜するテーパ面１１に形成されている。各車体係合部１０の外周部には、係合溝１２が全周に亘ってそれぞれ形成されている。この各係合溝１２に各車体パネル２０のグロメット取付穴２１の周縁が入り込み、車体パネル２０に係合されている。グロメット取付穴２１の内周側と各車体係合部１０の外周側は、全周に亘って密着される。これにより、グロメット取付穴２１を通って水、塵埃等が出入りできないようになっている。
【００１６】
電線貫通部２の２つの車体係合部１０の間の位置には、蛇腹部３が二箇所に形成されている。２つの車体パネル２０（例えば一方が車体本体パネルで他方がドアパネル）の間隔が相対的に変移すると、蛇腹部３の伸縮によってグロメット１Ａが追従できるようになっている。電線貫通部２の内部には、円形状の電線挿通穴４が形成されている。電線挿通穴４の内周面には、電線挿通方向Ｌに沿ってほぼ全長に亘って４本のリブ５が突設されている。４本のリブ５は、円周方向の等間隔の位置に配置されている。
【００１７】
次に、グロメット１Ａの電線挿通作業を説明する。先ず、摩擦抵抗が小さく、且つ、剛性の高いパイプ２２内に電線（図示せず）を通す。次に、図２に示すように、電線を通したパイプ２２を電線貫通部２の電線挿通穴４に通す。パイプ２２を電線挿通穴４に貫通させた後、電線を残してパイプ２２のみを電線挿通穴４より抜き取る。これで、電線挿通穴４に電線を通すことができる。
【００１８】
パイプ２２を電線挿通穴４に挿入する過程では、パイプ２２の外周面が電線挿通穴４のリブ５に接触（ほぼ線接触）し、従来例に較べてパイプ２２と電線貫通部２間の接触面積が小さいため、小さな摩擦抵抗でパイプ２２を挿入できる。又、パイプ２２のみを電線挿通穴４より引き抜く過程でも、同様の理由によって小さな摩擦抵抗でパイプ２２を引き抜くことができる。従って、電線の挿通作業性が良い。
【００１９】
（第２参考例）
図３（ａ）〜（ｄ）は本発明の第２参考例を示す。この第２参考例のグロメット１Ｂは、第１参考例のものと比較して、電線挿通穴４の内周面のリブ５が電線挿通穴４の端部には設けられていない。そして、リブ５が設けられていない電線挿通穴４の端部には、円周方向に沿って１条の防水用リブ６が全周に亘って突設されている。
【００２０】
他の構成は、前記第１参考例と同様にあるため、同一構成箇所には同一符号を付して説明を省略する。
【００２１】
この第２参考例でも前記第１参考例と同様の理由によって、電線の挿通作業性が良い。
【００２２】
電線挿通穴４の端部には、円周方向に沿って防水用リブ６が突設されている。従って、電線挿通穴４からの水、塵埃等の侵入を極力防止できる。
【００２３】
（一実施形態）
図４（ａ）〜（ｄ）は本発明の一実施形態を示す。この一実施形態のグロメット１Ｃは、第１参考例のものと比較して次の点が相違する。つまり、電線挿通穴４の内周面には、リブ５が突設されていない。その替わりに、電線挿通穴４の内周面は、シボ加工が施され、シボ加工面に形成されている。シボ加工の凹凸形態は、パイプとの接触面積を極力小さくできる形態が好ましい。
【００２４】
他の構成は、前記第１参考例と同様にあるため、同一構成箇所には同一符号を付して説明を省略する。
【００２５】
この一実施形態では、パイプを電線挿通穴４に挿入する過程では、パイプの外周面が電線挿通穴４のシボ加工された内周面に接触し、従来例に較べてパイプと電線貫通部２間の接触面積が小さいため、小さな摩擦抵抗でパイプを挿入できる。パイプのみを電線挿通穴４より引き抜く過程でも、同様の理由によって小さな摩擦抵抗でパイプを引き抜くことができる。従って、電線の挿通作業性が良い。
【００２６】
電線挿通穴４の端部には、前記第２参考例のように、円周方向に沿って１条の防水用リブ６を全周に亘って突設しても良い。
【００２７】
（変形例）
第１参考例では、電線挿通穴４の内周面にリブ５が突設され、一実施形態では、電線挿通穴４の内周面がシボ加工面とされているが、電線挿通穴４の内周面にリブ５を設け、且つ、内周面をシボ加工面としても良い。
【００２８】
第１及び第２参考例では、リブ５は、電線挿通穴４の内周面に４本突設されているが、１本でも、２本でも、３本でも良く、又、５本以上であっても良い。リブは、ストレートであるが、曲線（螺旋状）でも良い。
【００２９】
第２参考例では、防水用リブ６は、電線挿通穴４の端部に１本突設されているが、複数本（２本、３本等）でも良い。
【符号の説明】
【００３０】
１Ａ，１Ｂ  グロメット
２  電線貫通部
４  電線挿通穴
５  リブ
６  防水用リブ
１０  車体係合部
２０  車体パネル（車体）
２１  グロメット取付穴
【図１】
0005918994.tif 000002
【図２】
0005918994.tif 000003
【図３】
0005918994.tif 000004
【図４】
0005918994.tif 000005
【図５】
0005918994.tif 000006